(57)【要約】  画像光出射デバイス（３）と画像光の偏光子（４）とを有する屋外用画像照射装置（１）であって、屋外用画像照射装置の外から内部に浸入する太陽光を減衰する光減衰体（５）をさらに備えており、太陽光の光路上において順に、光減衰体（５）、偏光子（４）、画像光出射デバイス（３）が位置している、屋外用画像照射装置（１）。
2018124183.tif 000002
【特許請求の範囲】
【請求項１】
画像光出射デバイスと、画像光の偏光子とを有する、屋外用画像照射装置であって、太陽光を減衰する光減衰体をさらに備え、前記太陽光の光路上において順に、前記光減衰体、前記偏光子、前記画像光出射デバイスが位置していることを特徴とする屋外用画像照射装置。
【請求項２】
前記光減衰体が、前記偏光子と当接していることを特徴とする請求項１に記載の屋外用画像照射装置。
【請求項３】
さらに前記画像光を拡大する拡光部材を備え、  前記光路上において順に、前記拡光部材、前記光減衰体、前記偏光子、前記画像光出射デバイスが位置していることを特徴とする請求項１または２に記載の屋外用画像照射装置。
【請求項４】
前記光減衰体は、２００〜４００ｎｍの波長領域における透過率の平均値が、４００〜８００ｎｍの波長領域における透過率の平均値よりも小さいことを特徴とする請求項１乃至３のいずれかに記載の屋外用画像照射装置。
【請求項５】
前記光減衰体は、８００〜２５００ｎｍの波長領域における透過率の平均値が、４００〜８００ｎｍの波長領域における透過率の平均値よりも小さいことを特徴とする請求項１乃至４のいずれかに記載の屋外用画像照射装置。
【請求項６】
前記光減衰体が、サファイアを含むことを特徴とする請求項１乃至５のいずれかに記載の屋外用画像照射装置。
【請求項７】
前記サファイアが、２０５〜２６０ｎｍの波長領域に吸収帯を有することを特徴とする請求項６に記載の屋外用画像照射装置。
【請求項８】
前記サファイアが、Ｆｅ、Ｃｏ、Ｎｉ、Ｔｉ、Ｃｒ、Ｍｏ、Ｗのうちの少なくともいずれかを３ｐｐｍ以上含有することを特徴とする請求項６または７に記載の屋外用画像照射装置。
【請求項９】
前記光減衰体が含むサファイアが板状のサファイア基板からなり、該サファイア基板の厚みが、０．５ｍｍ以上５ｍｍであることを特徴とする請求項６乃至８のいずれかに記載の屋外用画像照射装置。
【請求項１０】
前記サファイアのｃ面が、前記偏光子と対向していることを特徴とする請求項６乃至９のいずれかに記載の屋外用画像照射装置。
【請求項１１】
前記サファイアのａ面、ｍ面またはｒ面が、前記偏光子と対向していることを特徴とする請求項６乃至９のいずれかに記載の屋外用画像照射装置。
【請求項１２】
前記サファイアのいずれかの面に、テラス面と、前記テラス面のエッジラインに当接するサイド面とを有するテラス構造層が複数位置していることを特徴とする請求項６乃至１１のいずれかに記載の屋外用画像照射装置。
【請求項１３】
前記光減衰体が、水晶基板または石英ガラス基板を含むことを特徴とする請求項１乃至１２のいずれかに記載の屋外用画像照射装置。
【請求項１４】
前記光路上において順に、前記水晶基板または前記石英ガラス基板、前記サファイア基板、前記偏光子、前記画像光出射デバイスが位置していることを特徴とする請求項１３に記載の屋外用画像照射装置。
【請求項１５】
前記光減衰体を空冷するための送風体を有することを特徴とする請求項１乃至１４のいずれかに記載の屋外用画像照射装置。
【発明の詳細な説明】
【技術分野】
【０００１】  本開示は、車載用ヘッドアップディスプレイ装置などの屋外用画像照射装置に関する。
【背景技術】
【０００２】  屋外用画像照射装置である車載用のヘッドアップディスプレイ装置（以下、単にＨＵＤ装置と記載する。）は、液晶パネルなどに表示した画像情報を照射して、窓などに映写する装置であり、運転者が前方視界に視線を置いたまま、表示された走行速度や走行ルートなどの各種情報を認識することができるものである。【０００３】  具体的な構成として、特許文献１には、ＨＵＤ装置について、入射側偏光部材と出射側偏光部材との間に液晶セルを有してなる表示素子と、この表示素子に光を照射する光源とを備え、表示素子を透過した表示像を運転者の前方視野内に設けられた表示部材に投影して表示するものであり、液晶セルから表示部材までの間における表示像の光路に、表示像を透過するとともに出射側偏光部材と接する熱伝達部材（水晶放熱板）と、金属材料からなり熱伝達部材を保持する保持部材とを備えることが記載されている。また、熱伝達部材が水晶基板であることが記載されている。
【先行技術文献】
【特許文献】
【０００４】
【特許文献１】特開２００５−３１３７３３号公報
【発明の概要】
【発明が解決しようとする課題】
【０００５】  本開示の屋外用画像照射装置は、画像光出射デバイスと、画像光出射デバイスからの画像光を調整する偏光子とを有する、屋外用画像照射装置であって、太陽光を減衰する光減衰体をさらに備え、太陽光の光路上において順に、光減衰体、偏光子、画像光出射デバイスが位置している。
【図面の簡単な説明】
【０００６】
【図１】第１の実施形態に係る屋外用画像照射装置の概略図である。
【図２】第２の実施形態に係る屋外体用画像照射装置の概略図である。
【図３】第３の実施形態に係る屋外用画像照射装置の概略図である。
【図４】サファイア基板表面の電子顕微鏡（ＳＥＭ）写真であり、テラス構造層の写真である。
【図５】第４の実施形態に係る屋外用画像照射装置の概略図である。
【図６】第５の実施形態に係る屋外用画像照射装置の概略図である。
【図７】第６の実施形態に係る屋外用画像照射装置の概略図である。
【発明を実施するための形態】
【０００７】  本開示の屋外用画像照射装置について、移動体用画像照射装置である車載用のＨＵＤ装置を例として、図を参照しながら説明する。図１は、第１の実施形態に係るＨＵＤ装置１の概略図である。ＨＵＤ装置１は、画像光出射デバイスＡと、偏光子４と、光減衰体５とを備える。画像光出射デバイスＡは、光源２と、画像形成部３とを備える。偏光子４は、画像形成部３からの画像光を偏光するものである。また、図１においては、鏡６と、出射窓７とを有する例を示しており、光源２からの出射光を含む画像光の出射光路Ｌを図中において一転鎖線の矢印で示している。そして、第１の実施形態に係るＨＵＤ装置１は、出射光路Ｌと逆になる太陽光の光路において、光減衰体５、偏光子４、画像光出射デバイスＡの順に位置している。図１に示す例においては、光減衰体５よりも太陽光の光路の前方に鏡６、さらに前方に出射窓７が位置している。
【０００８】  このＨＵＤ装置１が搭載された車両が、太陽光に曝される環境におかれ、出射窓７から光軸Ｌの逆の向きに太陽光が入ってきた場合、本構成においては、光減衰体５が、偏光子４に対して、太陽光側に配置されていることから、ＨＵＤ装置１に入射した太陽光は、光減衰体５を透過した後で偏光子４に到達することになる。なお、太陽光とは、太陽光そのものでなくとも、車両の窓を通過した太陽光なども含まれる。
【０００９】  光減衰体５について詳しく説明すると、光が光減衰体５を通過する際に、光の一部を透過し、他の一部を反射、吸収するなどして遮断する機能を有するものである。すなわち、光減衰体５に入る入射光よりも光減衰体５から出る出射光の光量は減少することになる。
【００１０】  光減衰体５は、画像を形成する可視光を透過させる透光性を有するとともに、太陽光が偏光子４に到達する前にその一部を減衰することができるため、太陽光によって偏光子４が損傷することを抑制することができる。
【００１１】  次に、図２には、図１に示す構造と比較して、光減衰体５と鏡６との間に拡光部材８を備えている例を示している。図２に示すように、光減衰体５と鏡６との間に拡光部材８を備えているときには、拡光部材８により画像光を拡大することができる。また、同じ大きさの画像とするためであれば、各部材が小さくて済むため、ＨＵＤ装置１の小型化を図ることができる。
【００１２】  この拡光部材８は、太陽光について見ると、太陽光を集光する機能を有することになるが、本実施形態のＨＵＤ装置１は、光減衰体５を備えているため、偏光子４へのダメージを抑制することができる。拡光部材８としては、例えば、凸レンズを用いることができる。
【００１３】  次に、図３には、図１における鏡６が位置していた部分に凹面鏡１０を備えている例を示している。このように、凹面鏡１０を備えるときには、鏡６と拡光部材８の両方の機能を有しているため、部材点数を少なくすることができる。
【００１４】  ＨＵＤ装置１における偏光子４は、画像光出射デバイスＡからの出射光によっても発熱するため、偏光子４の冷却の観点から、光減衰体５を偏光子４に当接させてもよい。このような構成を満たすときには、偏光子４を冷却することができ、太陽光の一部を遮断して太陽光による偏光子４の損傷を抑制することに加えて、熱による偏光子４の損傷を抑制することができる。図１の例では、光減衰体５が、偏光子４に当接している。偏光子４と光減衰体５とが当接している場合、両者間の熱の伝達は固体間の熱伝導によって行われるため、偏光子４を冷却する効果が高くなる。光減衰体５の表面に偏光子４が直接、形成されていてもよく、あるいは接着層を介して両者が接着されていてもよい。
【００１５】  また、図１において、光減衰体５と偏光子４とが当接しており、同じ大きさである例を示しているが、光減衰体５が偏光子４より大きくてもよい。このような構成を満たすときには、光減衰体５の表面積が増加するため、放熱性が向上する。
【００１６】  また、光減衰体５を偏光子４に近接させて配置してもよい。光減衰体５が、偏光子４を冷却できる範囲で近接していれば、偏光子４と光減衰体５とが離間していてもよく、その場合、両者間の熱の伝達は、両者の間にある気体を介して行われる。偏光子４と光減衰体５とを離して配置する場合には、両者の距離は０．１ｍｍ〜５０ｍｍがよい。
【００１７】  光減衰体５は、光を全ての波長で同じように減少させるわけではなく、光減衰体５に用いる材料によって、それぞれの波長の光の減少する割合は異なっている。
【００１８】  光減衰体５として、例えば、水晶、サファイアなどの単結晶や石英ガラスやホウケイ酸ガラスなどのガラスなどを用いることができる。水晶とは石英の単結晶であり、サファイアとは酸化アルミニウムの単結晶のことである。単結晶はガラスに比べ熱伝導率が高い（熱伝導率の値が大きい）。例えば、ガラスが０．５〜１．０Ｗ／ｍ・Ｋ程度の熱伝導率であるのに対し、水晶は、６．２〜１０．４Ｗ／ｍ・Ｋの熱伝導率を有し、サファイアは、４２Ｗ／ｍ・Ｋの優れた熱伝導率を有する。さらに、サファイアは、機械的強度が高く、可視光の透過率が８０％以上と大きい。
【００１９】  光減衰体５は、２００〜４００ｎｍの波長領域における透過率の平均値が、４００〜８００ｎｍの波長領域における透過率の平均値よりも小さくてもよい。光減衰体５がこのような構成を満たすときには、いわゆる紫外光領域の光を減衰させ、偏光子４の変質にともなう偏光子４の損傷を抑制することができる。
【００２０】  また、光減衰体５は、８００〜２５００ｎｍの波長領域における透過率の平均値が、４００〜８００ｎｍの波長領域における透過率の平均値よりも小さくてもよい。光減衰体５がこのような構成を満たすときには、いわゆる赤外光領域の光を減衰させ、赤外光に起因する偏光子４の加熱を抑制することができる。
【００２１】  さらに、光減衰体５は、４００〜８００ｎｍの波長領域における透過率の平均値よりも、２００〜４００ｎｍの波長領域における透過率の平均値および８００〜２５００ｎｍの波長領域における透過率の平均値が小さくてもよい。このような光減衰体５を用いると、紫外線による偏光子４の損傷および赤外線による偏光子４の加熱を抑制することができる。
【００２２】  なお、波長が４００〜８００ｎｍの範囲の光はいわゆる可視光である。
【００２３】  また、光減衰体５は、２００〜４００ｎｍの波長領域における透過率の最大値が、４００〜８００ｎｍの波長領域における透過率の最大値よりも小さくてもよい。このような光減衰体５を用いると、可視光領域の透過率の最大値よりも、紫外光領域の全ての領域における透過率が低くなるため、偏光子４の損傷を抑制しやすくなる。
【００２４】  また、光減衰体５は、８００〜２５００ｎｍの波長領域における透過率の最大値が、４００〜８００ｎｍの波長領域における透過率の最大値より小さくてもよい。このような光減衰体５を用いると、可視光領域の透過率の最大値よりも、赤外光領域の全ての領域における透過率が低くなるため、偏光子４の加熱を抑制しやすくなる。
【００２５】  これらの透過率は、例えば、島津製作所製の紫外可視近赤外分光光度計ＵＶ−３１００ＰＣを用いて測定することができる。測定条件は、例えば、スキャンスピード:高速、サンプリングピッチ:２．０ｎｍ、スリット幅:２．０ｎｍである。
【００２６】  紫外光や赤外光の透過率が低い材料について、以下に説明する。結晶欠陥、不純物や添加物などが全くないサファイアは、紫外光、赤外光に対しても可視光と同様に比較的高い透過率を有するが、サファイアに結晶欠陥を導入したり、添加物を加えたりすることで、特定の波長の光の透過率を小さくすることができる。
【００２７】  例えば、サファイア原料に、Ｆｅ、Ｃｏ、Ｎｉ、Ｔｉ、Ｃｒ、Ｍｏ、Ｗのうち少なくともいずれかを適量添加して、サファイアの結晶を成長させることで紫外光領域に吸収帯を持ち、紫外光を減少させることのできるサファイアを製造することができる。例えば、Ｔｉを添加したサファイアでは、Ｔｉ４＋が、紫外光領域である２３０ｎｍ、２４０ｎｍに吸収帯を持つことに起因して紫外光を減少させることができる。
【００２８】  これらの添加量は、３ｐｐｍ以上であればよく、５ｐｐｍ以上とするとさらによい。添加物の添加量は、適宜、調整すればよい。
【００２９】  また、サファイアの結晶育成時または、育成後の熱処理時の雰囲気を還元製雰囲気に制御して、酸素空孔に起因する欠陥をサファイアに導入することで、紫外光領域に吸収帯を持ち、紫外光を減少させられるサファイアを製造することができる。
【００３０】  酸素空孔に起因する欠陥を有するサファイアは、Ｆセンター、Ｆセンター＋と呼ばれる欠陥を有している。Ｆセンターは２０５ｎｍ、Ｆ＋センターは、２１０ｎｍ、２３０ｎｍｍ、２６０ｎｍに吸収帯を持っている。このような２０５ｎｍ〜２６０ｎｍの波長領域に吸収帯を有するサファイアを光減衰体５として用いると紫外光を減衰させることができる。
【００３１】  また、サファイアの光学特性は、製造方法の種類にも影響を受ける。例えば、ＨＥＭ（Ｈｅａｔ  Ｅｘｃｈａｎｇｅ  Ｍｅｔｈｏｄ）によって、製造されたサファイアの可視光領域における透過率の平均値は８５％と高く、紫外光領域における透過率の平均値は７０％と低くなる。このように透過率の平均値の差が大きいサファイアを光減衰体５として用いれば、紫外光を抑制しつつ、可視光を透過させることができる。
【００３２】  これらの吸収帯の測定は、透過率の測定と同様に島津製作所製の紫外可視近赤外分光光度計ＵＶ−３１００ＰＣを用いて行うことができる。
【００３３】  赤外光の透過率が低い材料としては、ＯＨ基が赤外線を吸収することが知られている水晶や石英ガラスが挙げられる。また、近赤外線吸収色素として、シアニン化合物、フタロシアニン化合物、ジチオール金属錯体、ナフトキノン化合物、ジインモニウム化合物、アゾ化合物などが知られており、赤外光の透過率が低い光減衰体５として、これら色素を表面に有する光減衰体５を使用することができる。
【００３４】  ところで、添加物の種類や添加量によっては、光減衰体５が色を呈することがある。車両に搭載されるＨＵＤ装置１においては、搭乗者に比較的単純な情報を伝えるための画像を表示すればよく、例えば、青色系、緑色系、赤色系などの単色光およびそれらの組合せが用いられる場合があり、光減衰体５を適宜着色してもよい。目的に応じて、光減衰体５の色の濃さを調整してもよい。ここでいう色がついているというのは、人の目で見て認識できる程度に着色していることをいう。
【００３５】  次に、光減衰体５の厚みと光学特性の関係について説明する。光減衰体５に入射した波長λの光の透過率Ｔ（λ）は、光の吸収係数α（λ）、光減衰体５の厚みｔの関数としてＴ（λ）＝ｅ−α（λ）ｔで表される。つまり、透過率Ｔは厚みｔに対して指数関数的に減少していく。光減衰体５の厚みを適切に選択することにより、画像表示に使用される波長領域の光の透過率を高く保ったまま、画像表示に不要な波長領域、例えば赤外光や紫外光の透過率を低くすることができる。例えば、光減衰体５が板状のサファイア基板からなる場合、その厚みは、０．５ｍｍ以上５ｍｍであるとよい。
【００３６】  光減衰体５として用いる材質は、強度や熱伝導に優れる点からサファイアがよい。このサファイアには異方性があることから、サファイアの結晶方位と光路や偏光子４との関係は様々な組合せがあり得る。
【００３７】  サファイアの異方性と光学特性との関係について説明すると、サファイアは、光学特性の面では、ｃ軸に対して傾いた方向に進行する光に対しては複屈折性（透過した光が２つの光線に分けられること）を有している。一方、ｃ軸に平行な方向の光に対しては複屈折性を有さない。そこで、サファイア基板のｃ面を偏光子４に対向するようにすると、画像光出射デバイスＡから偏光子４を透過した画像光がサファイア基板のｃ面に入射することになり、画像の歪みや滲みを抑制できる。なお、光減衰体５と表示部との間の距離が２ｍ以下である場合のように短い場合には、ａ面やｍ面、ｒ面などを偏光子４と対向するように配置してもよい。
【００３８】  さらに、矩形状のサファイアを特定の条件で熱処理すると、結晶方位に応じて、図４に示すように、表面に凹凸が生じる。テラス面１１は平面状に広がる面であり、サイド面１２は一のテラス面のエッジラインに当接し、他のテラス面１１に垂直に延びる面である。このテラス面１１とサイド面１２からなるテラス構造層１３は、凹凸形状を有していることから、凹凸がない場合に比べ表面積は大きくなっている。このテラス構造層１３におけるテラス面１１は、１μｍ四方以上の面積を備えており、テラス面１１の幅は１〜１０μｍ程度である。また、サイド面１２の高さは、３，０００倍程度の電子顕微鏡による観察で少なくともテラス面１１とサイド面１２の境にあるエッジが知覚できる程度の高さを備えている。
【００３９】  なお、図４はテラス構造層１３を例示する３，０００倍の倍率の電子顕微鏡（ＳＥＭ）写真である。
【００４０】  サファイアは元々高い熱伝導率を有するが、テラス構造層１３を有する部分では、空気との熱交換が活発に行われる。すなわち、このテラス構造層１３を有する部分は、高い放熱の効果を有する。このようなテラス層構造１３を表面の少なくとも一部に複数、位置するサファイア基板を用いると放熱効果がさらに向上する。
【００４１】  なお、熱処理の具体的な条件としては、サファイア基板を１８００℃以上、２０００℃以下の温度で５時間以上保持した後、６時間以上の降温時間で室温まで冷却する。熱処理工程は、アルゴンなどの不活性ガス雰囲気中、または真空中で行う。これにより、サファイアの表面および内部において、原子、結晶欠陥の再配列が進行し、加工工程において表面および内部に形成された、マイクロクラックや結晶欠陥や内部応力が低減する。
【００４２】  サファイア基板の全ての面にテラス構造層１３を設けると熱放散性が向上する。
【００４３】  矩形状のサファイア基板を用いる場合には、サファイアのｍ軸が、表面と垂直に交わらないようにすると、テラス構造層１３が生成しやすい。特に、サファイアのｃ軸またはａ軸が表面と垂直に交わるようにすると、テラス構造層１３が生成しやすい。全面に渡ってテラス層構造１３を有するサファイア基板を用いると表面積が増加することにともなって、テラス構造層１３を有さないサファイア基板よりも放熱性が高くなる。
【００４４】  サファイア基板の偏光子４と対向する面とその逆の面を除く面にテラス構造層１３を設ける場合には、サファイア基板の偏光子４と対向する面とその逆の面を、サファイアのｍ軸と垂直に交わるようにして、他の面をサファイア結晶のｍ軸と垂直に交わらないようにするとよい。そうすると、熱処理後にサファイア基板の偏光子４と対向する面とその逆の面を除く面にテラス構造層１３が形成される。
【００４５】  また、偏光子４と対向する面とその逆の面、すなわち画像光や太陽光が入出射する面のみを熱処理後に研磨加工してもよい。
【００４６】  光減衰体５として、欠陥、または添加物を制御して特定の波長の光の透過率を制御したサファイア、水晶、ガラスなどを使用してもよく、光減衰体５の主面または内部に特定の波長の光を吸収または反射する材質からなる層を形成してもよい。
【００４７】  光減衰体５として、光学特性の異なる複数の光減衰体５を組み合わせてもよい。例えば、紫外線領域の透過率が低いサファイア基板と、赤外線領域の透過率が低い水晶基板または石英ガラス基板とを組み合わせると、太陽光に含まれる紫外線領域および赤外線領域の光を減少させることができる。
【００４８】  図５に、複数の光減衰体５を組み合わせた例を示す。光減衰体５の一方として板状のサファイア基板５ａを用い、他方として水晶基板５ｂまたは石英ガラス基板５ｂを用い、太陽光の光路上に、順に、水晶基板５ｂまたは石英ガラス基板５ｂ、サファイア基板５ａ、偏光子４、画像光出射デバイスＡを配置すると、まず、水晶基板５ｂまたは石英ガラス基板５ｂで赤外線領域の光を減少させ、さらにサファイア基板５ａで紫外領域の光を減少させることができる。このような配置とすると、赤外線領域の光を減少させることで加熱されやすい水晶基板５ｂまたは石英ガラス基板５ｂと偏光子４の間に、サファイア基板５ａを挟む構造になり、偏光子４の加熱を抑制することができる。
【００４９】  この例では、光減衰体５はサファイア基板５ａを含んでおり、水晶基板５ｂまたは石英ガラス基板５ｂを含んでいる。また、紫外線領域および赤外線領域の透過率が低いホウケイ酸ガラスを光減衰体５として用いてもよく、これに熱伝導率の高いサファイア基板５ａを組み合わせてもよい。
【００５０】  ＨＵＤ装置１は、光減衰体５が気流により冷却されるように設計してもよい。気流による冷却は、光減衰体５を空冷するためにファンなどの送風体を用いればよい。また、車両などの移動体の移動に伴って生じる気流を利用してもよい。また、冷却効果を向上させるため、光減衰体５に冷却フィンを接続してもよい。冷却フィンは、光減衰体５の光が照射される範囲以外の部分の少なくとも一部に、形成されていればよい。
【００５１】  ＨＵＤ装置１は、図６のように、画像形成部３と、光減衰体５との間に配置された偏光子４に加えて、光源２と画像形成部３との間に配置された入射側偏光子９と、を有していてもよい。この場合、光源２からの光は、入射側偏光子９と画像形成部３と第１の偏光子４ａと光減衰体５とを順次透過し、光減衰体５は、偏光子４を冷却する機能を有している。
【００５２】  また、図７のように、ＨＵＤ装置１の構成を変えて、偏光子４と光減衰体５との位置関係を、偏光子４の上方に光減衰体５を配置するようにすると、空気の対流を利用した冷却を行いやすい。
【００５３】  以上、本発明の実施形態について説明したが、本発明は上述の実施形態に限定されず、本発明の要旨を逸脱しない範囲において、各種の改良および変更を行なってもよい。例えば、屋外用画像照射装置は、移動体用画像照射装置である車載用に限定されず、船舶、航空機、ゴーグル、ヘルメット、建築物、などに投影してもよい。また、表示部は窓に限定されず、鏡などであってもよい。また、移動体が車両などの場合であって、人から見て窓の向こう側に虚像を認識させる形態であっても表示部があるものとする。
【符号の説明】
【００５４】１  ：屋外用画像照射装置（ＨＵＤ装置）２  ：光源３  ：画像形成部Ａ  ：画像光出射デバイス４  ：偏光子５  ：光減衰体５ａ：第１光減衰体５ｂ：第２光減衰体６  ：鏡７  ：出射窓８  ：拡光部材９  ：入射側偏光子１０：凹面鏡１１：テラス面１２：サイド面１３：テラス構造層
【図１】
2018124183.tif 000003
【図２】
2018124183.tif 000004
【図３】
2018124183.tif 000005
【図４】
2018124183.tif 000006
【図５】
2018124183.tif 000007
【図６】
2018124183.tif 000008
【図７】
2018124183.tif 000009
【国際調査報告】
2018124183.tif 000010
2018124183.tif 000011
2018124183.tif 000012
2018124183.tif 000013